(57)【要約】【課題】ユーザ所望の撮影モードにて確実に対象画像を撮影する。【解決手段】人物と山を撮影範囲内に収めた対象画像をポートレートモードではなく風景モードで撮影する場合、ユーザは、まず、撮影モード設定用の判定領域（画像２５０内の破線領域）内に山のみが含まれるように撮影構図（撮影方向や画角）を調整することで風景モードを撮影モードとして撮像装置に認識させる。この状態（画像２５０が表示されている状態）で、ユーザが撮像装置の保持ボタンを押下すれば風景モードが保持撮影モードとして設定される。この後、人物と山が撮影範囲内に収まるようにユーザが撮影構図を所望のものに変更してからシャッタ操作を成すと、保持撮影モードとしての風景モードにより対象画像の撮影が成される。【選択図】図１０
2011133703.tif 000002
【特許請求の範囲】
【請求項１】
被写体からの入射光に応じた画像データを出力する撮像部と、
前記撮像部の出力画像データに基づいて撮影モードを設定するモード設定部と、
所定の保持操作及び所定のシャッタ操作を受け付ける操作部と、
前記保持操作が成されたタイミングにおいて前記モード設定部により設定された撮影モードを保持し、その後において前記シャッタ操作が成された際、保持撮影モードに応じた撮影条件に従い前記撮像部を用いて対象画像を撮影する撮影制御部と、を備えた
ことを特徴とする撮像装置。
【請求項２】
前記モード設定部は、前記対象画像の撮影に先立って前記撮像部にて撮影されたプレ画像上に判定領域を設定し、前記判定領域内の画像データに基づいて前記撮影モードを設定する
ことを特徴とする請求項１に記載の撮像装置。
【請求項３】
前記プレ画像上における前記判定領域の大きさ及び位置の内、少なくとも一方は可変となっている
ことを特徴とする請求項２に記載の撮像装置。
【請求項４】
被写体からの入射光に応じた画像データを出力する撮像部と、
前記撮像部の出力画像データに基づいて撮影モードを設定するモード設定部と、
所定のシャッタ操作を受け付ける操作部と、
前記シャッタ操作が成された際、前記シャッタ操作前に設定された撮影モードに応じた撮影条件に従い前記撮像部を用いて対象画像を撮影する撮影制御部と、を備えた撮像装置において、
前記モード設定部は、前記対象画像の撮影に先立って前記撮像部にて撮影されたプレ画像上に判定領域を設定し、前記判定領域内の画像データに基づいて前記撮影モードを設定し、
前記プレ画像上における前記判定領域の大きさ及び位置の内、少なくとも一方は可変となっている
ことを特徴とする撮像装置。
【請求項５】
被写体からの入射光に応じた画像データを出力する撮像部を用いて画像の撮影を行う撮像装置において、
前記撮像部による撮影画像上に互いに異なる複数の判定領域を設定し、前記判定領域ごとに前記判定領域内の画像データに基づいて撮影モードを設定するモード設定部と、
前記複数の判定領域の何れかを選択判定領域として選択する操作を受け付ける操作部と、
前記選択判定領域に対応する撮影モードに応じた撮影条件に従い前記撮像部を用いて対象画像を撮影する撮影制御部と、を備えた
ことを特徴とする撮像装置。
【発明の詳細な説明】
【技術分野】
【０００１】
本発明は、デジタルスチルカメラ又はデジタルビデオカメラ等の撮像装置に関する。
【背景技術】
【０００２】
ユーザが撮影しようとするシーンを自動的に判定し、撮影条件を自動的に最適化する機能が撮像装置に搭載されていることが多い。この機能では、撮影範囲内に存在する被写体（人物、山、海、空、建物等）の種類を判別したり被写体の明るさを検出したりすることで、複数の候補撮影モードの中から最適な撮影モードを選択し、選択した撮影モードに従った撮影条件（シャッタスピード、絞り値、ＩＳＯ感度等）にて撮影を行うことで取得画像の最適化を図る。
【０００３】
しかしながら、撮影範囲内には複数の被写体が存在することが多いため、自動判定されたシーン及びそれに伴って自動選択された撮影モードがユーザの意図したものと異なる場合があり、結果、ユーザの所望する画像が得られないこともある。
【０００４】
例えば、撮影範囲内に人物と山を含めた状態で対象画像を撮影する場合において、ユーザが、被写界深度の比較的浅いポートレートモードではなく被写界深度の比較的深い風景モードによる対象画像の撮影を希望していることを想定する。即ち、図２１（ａ）に示すような、人物の山も鮮明に描写された対象画像の取得をユーザが希望していることを想定する。しかしながら、この場合、人物が撮影範囲に存在していることに起因して撮像装置が自動的にポートレートモードを設定し、結果、図２１（ｂ）に示すような、背景の山がぼけた対象画像が得られることもある（図２１（ｂ）では、山の輪郭線を太くすることでぼけを表現している）。
【０００５】
尚、下記特許文献１の方法では、特徴量抽出や顔検出結果に基づき、実際に採用される可能性のある撮影モード（撮像モード）の候補を撮像モード記憶部から複数個抽出して表示し、表示した複数の候補の中から実際に採用する撮影モードをユーザに選択させる。この方法を用いれば、多数存在する候補の数をある程度絞り込むことはできるのものの、絞り込んだ候補の中の１つを選択する操作をユーザに強いることになり、特に候補の数が多くなると選択操作が煩雑となるし、ユーザに選択を迷わせる結果を導いてユーザに不快感を覚えさせる。
【先行技術文献】
【特許文献】
【０００６】
【特許文献１】特開２００９−７１６６６号公報
【発明の概要】
【発明が解決しようとする課題】
【０００７】
そこで本発明は、所望の撮影モードにて容易に対象画像の取得を可能ならしめる撮像装置を提供することを目的とする。
【課題を解決するための手段】
【０００８】
本発明に係る第１の撮像装置は、被写体からの入射光に応じた画像データを出力する撮像部と、前記撮像部の出力画像データに基づいて撮影モードを設定するモード設定部と、所定の保持操作及び所定のシャッタ操作を受け付ける操作部と、前記保持操作が成されたタイミングにおいて前記モード設定部により設定された撮影モードを保持し、その後において前記シャッタ操作が成された際、保持撮影モードに応じた撮影条件に従い前記撮像部を用いて対象画像を撮影する撮影制御部と、を備えたことを特徴とする。
【０００９】
このような保持機能を設けることにより、ユーザ所望の撮影モードにて対象画像を容易に取得することが可能となる。
【００１０】
具体的には例えば、前記モード設定部は、前記対象画像の撮影に先立って前記撮像部にて撮影されたプレ画像上に判定領域を設定し、前記判定領域内の画像データに基づいて前記撮影モードを設定する。
【００１１】
更に具体的には例えば、前記モード設定部は、前記撮像部の出力画像データに基づき、複数の候補撮影モードの中から前記撮影モードを選択することによって前記撮影モードを設定する。
【００１２】
また例えば、前記プレ画像上における前記判定領域の大きさ及び位置の内、少なくとも一方は可変となっている。
【００１３】
また例えば、前記操作部は、前記操作部に設けられた互いに異なる第１及び第２操作体を介して、前記保持操作及び前記シャッタ操作を受け付ける。或いは例えば、前記操作部は、前記操作部に設けられた共通の操作体を介して、前記保持操作及び前記シャッタ操作を受け付ける。
【００１４】
本発明に係る第２の撮像装置は、被写体からの入射光に応じた画像データを出力する撮像部と、前記撮像部の出力画像データに基づいて撮影モードを設定するモード設定部と、所定のシャッタ操作を受け付ける操作部と、前記シャッタ操作が成された際、前記シャッタ操作前に設定された撮影モードに応じた撮影条件に従い前記撮像部を用いて対象画像を撮影する撮影制御部と、を備えた撮像装置において、前記モード設定部は、前記対象画像の撮影に先立って前記撮像部にて撮影されたプレ画像上に判定領域を設定し、前記判定領域内の画像データに基づいて前記撮影モードを設定し、前記プレ画像上における前記判定領域の大きさ及び位置の内、少なくとも一方は可変となっていることを特徴とする。
【００１５】
これにより、所望の撮影モードが設定されるように判定領域の位置及び／又は大きさを変更することができる。このような判定領域の変更機能を設けることにより、ユーザ所望の撮影モードにて対象画像を容易に取得することが可能となる。
【００１６】
具体的には例えば、前記操作部は、前記判定領域の大きさ及び位置の内、少なくとも一方を指定する判定領域指定操作をも受け付け、前記モード設定部は、前記判定領域指定操作に従って前記プレ画像上に前記判定領域を設定する。
【００１７】
本発明に係る第３の撮像装置は、被写体からの入射光に応じた画像データを出力する撮像部を用いて画像の撮影を行う撮像装置において、前記撮像部による撮影画像上に互いに異なる複数の判定領域を設定し、前記判定領域ごとに前記判定領域内の画像データに基づいて撮影モードを設定するモード設定部と、前記複数の判定領域の何れかを選択判定領域として選択する操作を受け付ける操作部と、前記選択判定領域に対応する撮影モードに応じた撮影条件に従い前記撮像部を用いて対象画像を撮影する撮影制御部と、を備えたことを特徴とする。
【００１８】
複数の判定領域の中から所望の撮影モードに対応した判定領域を選択するという簡素な操作によって、対象画像用の撮影モードが決定される。このため、ユーザ所望の撮影モードにて対象画像を容易に取得することが可能となる。
【発明の効果】
【００１９】
本発明によれば、所望の撮影モードにて容易に対象画像の取得を可能ならしめる撮像装置を提供することが可能となる。
【００２０】
本発明の意義ないし効果は、以下に示す実施の形態の説明により更に明らかとなろう。ただし、以下の実施の形態は、あくまでも本発明の一つの実施形態であって、本発明ないし各構成要件の用語の意義は、以下の実施の形態に記載されたものに制限されるものではない。
【図面の簡単な説明】
【００２１】
【図１】本発明の第１実施形態に係る撮像装置の概略全体ブロック図である。
【図２】図１の撮像部の内部構成図である。
【図３】図１の撮像装置の一部ブロック図であって、シーン判定及び撮影モード設定に関与する部位のブロック図である。
【図４】入力画像と判定領域の関係を示す図である。
【図５】原画像から対象画像を生成する画像処理部を示す図である。
【図６】風景モードにて撮影された対象画像と、ポートレートモードにて撮影された対象画像を示す図である。
【図７】本発明の第１実施形態に係り、対象画像の撮影手順を表すフローチャートである。
【図８】本発明の第１実施形態に係り、対象画像の撮影前に表示される画像の例を示す図である。
【図９】本発明の第１実施形態に係り、山と人物が含まれる風景を示す図である。
【図１０】本発明の第１実施形態に係り、対象画像を得る手順の概念図である。
【図１１】本発明の第１実施形態に係り、対象画像を得る他の手順の概念図である。
【図１２】本発明の第１実施形態に係り、判定領域の候補となるべき複数の候補領域が表示画像上に重畳されている様子を示す図である。
【図１３】本発明の第１実施形態に係り、対象画像を得る更に他の手順の概念図である。
【図１４】シャッタボタンの操作と撮影モード保持及びＡＦロックとの関係例を示す図である。
【図１５】シャッタボタンの操作と撮影モード保持及びＡＦロックとの、他の関係例を示す図である。
【図１６】本発明の第２実施形態に係り、入力画像内に４つの判定領域が設定される様子を示す図である。
【図１７】本発明の第２実施形態に係り、対象画像の撮影手順を表すフローチャートである。
【図１８】本発明の第２実施形態に係り、対象画像の撮影前に表示される画像の例を示す図である。
【図１９】本発明の第２実施形態に係り、対象画像の撮影前に表示される画像の他の例を示す図である。
【図２０】本発明の第２実施形態に係る他の入力画像と該入力画像に基づく表示画像を示す図である。
【図２１】従来技術に係り、ユーザが希望する対象画像及び実際に得られた対象画像を示す図である。
【発明を実施するための形態】
【００２２】
以下、本発明の実施形態の幾つかを、図面を参照して具体的に説明する。参照される各図において、同一の部分には同一の符号を付し、同一の部分に関する重複する説明を原則として省略する。
【００２３】
＜＜第１実施形態＞＞
本発明の第１実施形態を説明する。図１は、第１実施形態に係る撮像装置１の概略全体ブロック図である。撮像装置１は、静止画像を撮影及び記録可能なデジタルスチルカメラ、又は、静止画像及び動画像を撮影及び記録可能なデジタルビデオカメラである。
【００２４】
撮像装置１は、撮像部１１と、ＡＦＥ（Analog Front End）１２と、主制御部１３と、内部メモリ１４と、表示部１５と、記録媒体１６と、操作部１７と、発光部１８と、を備えている。
【００２５】
図２に、撮像部１１の内部構成図を示す。撮像部１１は、光学系３５と、絞り３２と、ＣＣＤ（Charge Coupled Device）やＣＭＯＳ（Complementary Metal Oxide Semiconductor）イメージセンサなどから成る撮像素子３３と、光学系３５や絞り３２を駆動制御するためのドライバ３４と、を有している。光学系３５は、ズームレンズ３０及びフォーカスレンズ３１を含む複数枚のレンズから形成される。ズームレンズ３０及びフォーカスレンズ３１は光軸方向に移動可能である。ドライバ３４は、主制御部１３からの制御信号に基づいてズームレンズ３０及びフォーカスレンズ３１の各位置並びに絞り３２の開度を駆動制御することにより、撮像部１１の焦点距離（画角）及び焦点位置並びに撮像素子３３への入射光量（換言すれば、絞り値）を制御する。
【００２６】
撮像素子３３は、光学系３５及び絞り３２を介して入射した被写体を表す光学像を光電変換し、該光電変換によって得られた電気信号をＡＦＥ１２に出力する。より具体的には、撮像素子３３は、マトリクス状に二次元配列された複数の受光画素を備え、各撮影において、各受光画素は露光時間に応じた電荷量の信号電荷を蓄える。蓄えた信号電荷の電荷量に比例した大きさを有する各受光画素からのアナログ信号は、撮像装置１内で生成される駆動パルスに従って順次ＡＦＥ１２に出力される。
【００２７】
ＡＦＥ１２は、撮像部１１（撮像素子３３）から出力されるアナログ信号を増幅し、増幅されたアナログ信号をデジタル信号に変換する。ＡＦＥ１２は、このデジタル信号をＲＡＷデータとして主制御部１３に出力する。ＡＦＥ１２における信号増幅の増幅度は、主制御部１３によって制御される。
【００２８】
主制御部１３は、ＣＰＵ（Central Processing Unit）、ＲＯＭ（Read Only Memory）及びＲＡＭ（Random Access Memory）等から成る。主制御部１３は、ＡＦＥ１２からのＲＡＷデータに基づいて、撮像部１１によって撮影された画像（以下、撮影画像とも言う）を表す画像データを生成する。ここで生成される画像データには、例えば、輝度信号及び色差信号が含まれる。但し、ＲＡＷデータそのものも画像データの一種であり、撮像部１１から出力されるアナログ信号も画像データの一種である。また、主制御部１３は、表示部１５の表示内容を制御する表示制御手段としての機能をも備え、表示に必要な制御を表示部１５に対して行う。
【００２９】
内部メモリ１４は、ＳＤＲＡＭ（Synchronous Dynamic Random Access Memory）等にて形成され、撮像装置１内で生成された各種データを一時的に記憶する。表示部１５は、液晶ディスプレイパネル等から成る表示装置であり、主制御部１３の制御の下、撮影された画像や記録媒体１６に記録されている画像などを表示する。記録媒体１６は、カード状半導体メモリや磁気ディスク等の不揮発性メモリであり、主制御部１３による制御の下、撮影画像などを記憶する。操作部１７は、外部からの操作を受け付ける。操作部１７に対する操作内容は、主制御部１３に伝達される。発光部１８は、キセノン管や発光ダイオードを光源とする発光装置であり、主制御部１３にて指示されたタイミングにおいて、その光源にて生成されたフラッシュ光を被写体に照射する。
【００３０】
表示部１５には所謂タッチパネル機能が設けられており、ユーザは、表示部１５の表示画面を指等で触れることによりタッチパネル操作を成すことができる。タッチパネル機能の実現には操作部１７も関与しており、本実施形態では、タッチパネル操作も操作部１７に対する操作の一種であると考える。尚、以下の説明文中における表示とは、特に記述無き限り表示部１５における表示を指し、以下の説明文中における操作とは、特に記述無き限り操作部１７に対する操作を指す。
【００３１】
撮像装置１には、ユーザが撮影しようとするシーンを自動的に判定し、撮影条件を自動的に最適化する機能が備えられている。以下、この機能の説明を行う。図３は、この機能の実現に関与する部位のブロック図である。モード設定部５１及び撮影制御部５２は、図１の主制御部１３内に設けられている。モード設定部５１には、シーン判定部６１及び撮影モードテーブル６２が設けられている。保持ボタン７１及びシャッタボタン７２は、操作部１７に設けられたボタンスイッチ（操作体）である。
【００３２】
モード設定部５１には、入力画像の画像データが与えられる。入力画像とは、撮像部１１から出力される画像データに基づく二次元画像を指す。ＲＡＷデータそのものが入力画像の画像データであっても良いし、ＲＡＷデータに対して所定の画像処理（デモザイキング処理、ノイズ低減処理、色補正処理等）を施して得られる画像データが入力画像の画像データであっても良い。
【００３３】
シーン判定部６１は、入力画像内に判定領域を設定し、判定領域内の画像データに基づいてシーン判定を行う。図４は、入力画像と判定領域との関係を表している。図４において、符号２００は任意の１枚の入力画像を表しており、符号２０１は入力画像２００に設定された判定領域を表している。判定領域２０１は、入力画像２００の全画像領域そのもの、又は、入力画像２００の全画像領域の一部である。図４では、判定領域２０１が、入力画像２００の全画像領域の一部であることが想定されている。図４に示す如く、入力画像２００上における判定領域２０１の形状が矩形であることを想定する。但し、該形状を矩形以外とすることも可能である。
【００３４】
入力画像２００上における判定領域２０１の位置及び大きさは、予め設定されている。例えば、入力画像２００の中央付近に位置する、一定の大きさを有する画像領域が判定領域２０１として設定される。但し、ユーザは操作部１７に対する所定操作を介して、入力画像２００上における判定領域２０１の位置及び大きさを指定することができ、この操作が成された場合、その指定に従って判定領域２０１の位置及び大きさは変更される。即ち、入力画像２００上における判定領域２０１の位置及び大きさは可変となっている。尚、判定領域２０１の位置のみ、或いは、判定領域２０１の大きさのみが変更可能であっても良い。判定領域２０１の位置及び／又は大きさを変更するための操作はタッチパネル操作であっても良い。
【００３５】
シーン判定部６１のシーン判定では、入力画像２００の判定領域２０１内の画像データに基づいて入力画像２００の撮影シーンを判定する。入力画像２００の撮影シーンの判定は、入力画像２００の被写体の種類及び入力画像２００の撮影時における被写体の光源状態などを検出する処理を含む。この判定方法として、公知の任意の方法（例えば、特開２００９−７１６６６号公報に記載の方法）を用いることができる。
【００３６】
例えば、判定領域２０１の画像データに基づく公知の顔検出処理によって判定領域２０１内に人物の顔が存在しているのか否かを判断することにより、入力画像２００の撮影シーンが人物を撮影したシーンであるのか否かを判定することができる。顔検出処理と同様の方法にて、判定領域２０１内に犬、猫等の動物が存在しているのか否かを判断することもできる。
また例えば、判定領域２０１内の画像の輝度情報（輝度ヒストグラムや平均輝度）に基づいて、入力画像２００の撮影シーンが夜景を撮影したシーンであるのか否か、入力画像２００の撮影シーンが逆光状態の被写体を撮影したシーンであるのか否かを判定することができる。
また例えば、上記輝度情報に加えて判定領域２０１内の画像の色相情報や光源推定情報を用いることで、入力画像２００の撮影シーンが屋内の被写体を撮影したシーンであるのか否かを推定することができる。そして、入力画像２００の被写体が屋外における被写体であると推定された場合には、特定の色相を有する部分の、入力画像２００上の位置をも参照することで、入力画像２００に木、山、海、雪、空の画像データが含まれているのか否かや、入力画像２００が水中で撮影されたものであるのか否か等を判定することもできる。更に上記の各種の情報に加えて判定領域２０１内の画像のエッジ情報をも参照することで、入力画像２００に建物の画像データが含まれているか否かを判定することもできる。
【００３７】
撮影モードテーブル６２には、第１〜第Ｎの撮影モードが記憶されている。ここで、Ｎは２以上の整数である（例えば、Ｎ＝１０）。撮影モードテーブル６２に記憶された第１〜第Ｎの撮影モードには、ポートレートモード、風景モード、高速シャッタモード、夜景モード、夜景ポートレートモード、ビーチモード、スノーモード、水中モード、花火モード等が含まれている。
【００３８】
モード設定部５１は、入力画像２００に対するシーン判定の結果に基づき、入力画像２００の撮影モードとして最適と考えられる１つの撮影モードを第１〜第Ｎの撮影モードの中から選択する。ここで選択された撮影モードを、以下、選択撮影モードと呼ぶ。選択撮影モードを表す撮影モード情報は、撮影制御部５２に伝達される。撮影モードテーブル６２に記憶された各撮影モードは、選択撮影モードの候補である候補撮影モードとして機能する。
【００３９】
例えば、判定領域２０１内の画像データに基づき入力画像２００内に人物の顔が存在していると判断された場合には、ポートレートモードを選択撮影モードとして設定する。入力画像２００内に人物の顔が存在していると判断されると共に入力画像２００の撮影シーンが夜景の撮影シーンであると判断された場合には、夜景ポートレートモードを選択撮影モードとして設定する。
また例えば、判定領域２０１内の画像データに基づき入力画像２００内に山や木が存在していると判断された場合には、風景モードを選択撮影モードとして設定する。判定領域２０１内の画像データに基づき入力画像２００内に人物の顔も山も存在していると判断された場合には、入力画像２００上における人物の大きさと山の大きさとの対比に基づいて、ポートレートモード又は風景モードを選択撮影モードとして設定することができる。
また例えば、判定領域２０１内の画像データに基づき入力画像２００内に動物が存在していると判断された場合には、高速シャッタモードを選択撮影モードとして設定する（動物は動き回ることが多いため）。
【００４０】
上述の選択撮影モードの具体的設定方法は例示に過ぎず、入力画像２００に対するシーン判定の結果に基づき、様々な観点から選択撮影モードを設定することができる。モード設定部５１による、画像データに基づく撮影モードの選択方法として、公知の任意の方法（例えば、特開平１０−１６１１７４号公報又は特開２００３−３４４８９１号公報に記載の方法）を用いることが可能である。
【００４１】
撮影モードテーブル６２に記憶された各撮影モードは、所定のシャッタ操作に従って撮像部１１の出力画像データから生成されるべき対象画像の撮影条件を規定する。シャッタ操作は、ユーザがシャッタボタン７２を押す操作である。
【００４２】
対象画像の撮影条件には、対象画像の撮影時におけるシャッタスピード（即ち、対象画像の画像データを撮像素子３３から得るための、撮像素子３３の露光時間の長さ）、対象画像の撮影時における絞り値、対象画像の撮影時におけるＩＳＯ感度、対象画像の撮影時におけるフラッシュ光の照射の有無、対象画像を生成するために対象画像の元となるＲＡＷデータに対して行われるべき画像処理（以下、特定画像処理という）の内容などが含まれる。ＩＳＯ感度は、ＩＳＯ（International Organization for Standardization）によって規定された感度を意味し、ＩＳＯ感度を調節することで対象画像の明るさ（輝度レベル）を調節することができる。実際には、ＩＳＯ感度に応じてＡＦＥ１２における信号増幅の増幅度を決定する。
【００４３】
主制御部１３には、図５の画像処理部８１が設けられている。画像処理部８１は、対象画像の元となるＲＡＷデータ（以下、対象ＲＡＷデータという）に対して特定画像処理を行うことで、対象画像の画像データを生成する。対象ＲＡＷデータそのものによって表される二次元画像を原画像と呼ぶ。画像処理部８１は図３の撮影制御部５２に内包されている、と考えることもできる。
【００４４】
上記の第１〜第Ｎの撮影モードに関し、第ｉの撮影モードによって規定される撮影条件と、第ｊの撮影モードによって規定される撮影条件は互いに異なる。これは、通常、互いに異なる任意の整数ｉ及びｊに対して成立するが（但し、ｉ≦Ｎ且つｊ≦Ｎ）、第１〜第Ｎの撮影モードに含まれるＮA個の撮影モードの撮影条件は互いに同じでありうる（ＮAはＮ未満の整数）。例えば、Ｎ＝１０のとき、第１〜第９の撮影モードについての撮影条件は互いに異なるが、第９及び第１０の撮影モードについての撮影条件は互いに同じである、といった場合もある（この場合、ＮA＝２）。
【００４５】
具体的には例えば、ポートレートモード及び風景モード間で絞り値を変えることよって、ポートレートモードにおける被写界深度を風景モードにおける被写界深度よりも浅くする。図６（ａ）の画像２１０は、風景モードにて撮影された対象画像を表し、図６（ｂ）の画像２２０は、ポートレートモードにて撮影された対象画像を表す。対象画像２１０及び２２０は共通の被写体を撮影したものであるが、被写界深度の相違に基づき、対象画像２１０では人物も風景も鮮明に現れている一方で、対象画像２２０では人物は鮮明であるものの風景はぼけている（図６（ｂ）では、山の輪郭線を太くすることでぼけを表現している）。
【００４６】
ポートレートモード及び風景モード間で絞り値を共通にしておく一方で、ポートレートモード及び風景モード間で特定画像処理を異ならせることで、ポートレートモードにおける被写界深度を風景モードにおける被写界深度よりも浅くしても良い。即ち例えば、対象画像に対する撮影モードが風景モードである場合には、原画像に対する特定画像処理に背景ぼかし処理を含めない一方、対象画像に対する撮影モードがポートレートモードである場合には、原画像に対する特定画像処理に背景ぼかし処理を含める。背景ぼかし処理は、原画像において人物の画像データが存在する画像領域以外の画像領域をぼかす処理（ガウシアンフィルタを用いた空間フィルタリングなど）である。このような、背景ぼかし処理の有無による特定画像処理の相違によっても、ポートレートモードによる対象画像と風景モードによる対象画像間で被写界深度を実質的に異ならせることができる。
【００４７】
また例えば、対象画像に対する撮影モードが風景モードである場合には、原画像に対する特定画像処理に肌色補正を含めない一方、対象画像に対する撮影モードがポートレートモードである場合には、原画像に対する特定画像処理に肌色補正を含めるようにしても良い。肌色補正は、人物の顔の画像部分の内、肌色に分類される部分の色を補正する処理である。
【００４８】
また例えば、高速シャッタモードでは、ポートレートモード等よりもシャッタスピードが速くされる（即ち、対象画像の画像データを撮像素子３３から得るための、撮像素子３３の露光時間の長さが短くされる）。また例えば、夜景ポートレートモードでは、フラッシュ光を被写体に照射した状態で対象画像の撮影を行う（夜景ポートレートモードを除く一部の撮影モードにおいては、フラッシュ光を被写体に照射しない状態で対象画像の撮影が行われる）。また例えば、ビーチモードにおいては、原画像上で海の色相を有している画像部分の色を補正する処理を特定画像処理に含める。この他、撮影モードごとの撮影条件を様々な観点から設定しておくことが可能であり、撮影モードごとの撮影条件の設定に、公知の任意の設定方法を利用することも可能である。
【００４９】
主制御部１３の制御の下、撮像部１１は周期的に入力画像の撮影を行っており、モード設定部５１は、次々と与えられる入力画像に対して次々とシーン判定を行って選択撮影モードを更新してゆく。そして、操作部１７に対して所定の保持操作が成された際、その保持操作が成されたタイミングにおける選択撮影モードを保持し、その後においてシャッタ操作が成された際、保持された選択撮影モードにて対象画像を撮影する。保持操作は、保持ボタン７１を押す操作である。シャッタ操作の有無、保持操作の有無及び後述の保持解除操作の有無は、撮影制御部５２によって監視されている。尚、シャッタ操作及び保持操作をタッチパネル操作にて実現するようにしても良い。この場合、表示部１５の表示画面がシャッタ操作及び保持操作を受け付ける操作体として機能する。また、シャッタ操作及び保持操作の内、一方だけをタッチパネル操作にて実現するようにしても良い。
【００５０】
対象画像の撮影手順を、図７を参照して詳細に説明する。図７は、１枚の対象画像を得るための、撮像装置１の動作手順を表すフローチャートである。
【００５１】
まず、ステップＳ１１において入力画像が取得される。続くステップＳ１２において、ステップＳ１１にて取得された入力画像の判定領域内の画像データに基づき、該入力画像に対してシーン判定が実行されると共に、その判定結果を利用して該入力画像に対して選択撮影モードが設定される。ステップＳ１１にて取得された入力画像は、ステップＳ１３において表示部１５に表示される。この際、ステップＳ１２にて設定された選択撮影モードを表す指標（文字やアイコン等）も併せて表示される。
【００５２】
図８（ａ）及び（ｂ）の画像２３０及び２３１の夫々は、ステップＳ１３における表示画像の例である。図８（ａ）及び（ｂ）において、破線枠は、判定領域の外枠を表している（表示画像を示す、後述の図１０等においても同様）。この判定領域の外枠は実際に表示されていても良いし、実際には表示されていなくても良い（表示画像を示す、後述の図１０等においても同様）。図８（ａ）の例では、表示画像２３０の元となる入力画像の判定領域内に山が存在している一方で人物が存在していないため、風景モードが選択されて風景モードを表す「風景」という文字が、表示画像２３０の元となる入力画像と共に表示されている。図８（ｂ）の例では、表示画像２３１の元となる入力画像の判定領域内に人物が存在しているため、ポートレートモードが選択されてポートレートモードを表す「ポートレート」という文字が、表示画像２３１の元となる入力画像と共に表示されている。対象画像の撮影前に取得される入力画像は、ユーザが現在の撮影範囲を確認するためのプレビュー画像（プレ画像）として機能する。
【００５３】
ステップＳ１３の後、ステップＳ１４に移行し、撮影制御部５２は、保持操作が成されているか否かを確認する。ステップＳ１４において、保持操作が成されている場合にはステップＳ１４からステップＳ１８に移行するが、保持操作が成されていない場合にはステップＳ１４からステップＳ１５に移行し、撮影制御部５２は、シャッタ操作が成されているか否かを確認する。ステップＳ１５においてシャッタ操作が成されていない場合には、ステップＳ１１に戻って上述のステップＳ１１以降の処理を再び実行する。
【００５４】
一方、ステップＳ１５においてシャッタ操作が成されている場合にはステップＳ１５からステップＳ１６に移行して、現在の選択撮影モードにて対象画像の撮影を行う。即ち、最新のステップＳ１２にて設定された最新の選択撮影モードに規定された撮影条件に従い、対象画像の撮影を行う。ステップＳ１６の撮影によって得られた対象画像は表示部１５に表示されると共に記録媒体１６に記録される（ステップＳ１７）。
【００５５】
ステップＳ１４において保持操作が成されている場合にステップＳ１４から移行するステップＳ１８では、撮影制御部５２が、現在の選択撮影モードを保持し、それを保持撮影モードとして記憶する。即ち、最新のステップＳ１２にて設定された最新の選択撮影モードを保持撮影モードとして設定する。保持撮影モードの設定後、ステップＳ１９において、撮影制御部５２は所定の保持解除操作が成されたか否かを確認する。保持ボタン７１を１回押すことによって保持操作を成した後に、再度、保持ボタン７１を押す操作が保持解除操作である。
【００５６】
ステップＳ１９において保持解除操作が成されている場合には、保持撮影モードの記憶を破棄すると共にステップＳ１９からステップＳ１１に戻って上述のステップＳ１１以降の処理を再び実行するが、保持解除操作が成されていない場合にはステップＳ２０に移行して、更にシャッタ操作の有無を確認する。ステップＳ２０において、シャッタ操作が成されていない場合には、ステップＳ１９に戻ってステップＳ１９及びＳ２０の処理が繰り返し実行される。ステップ１９及びＳ２０の処理の繰り返し実行の過程においても、入力画像の撮影は次々と成されて最新の入力画像が表示部１５に更新表示される。この際、保持撮影モードを表す指標（文字やアイコン等）も表示される。
【００５７】
ステップＳ２０においてシャッタ操作が成されている場合にはステップＳ２０からステップＳ２１に移行して、保持撮影モードにて対象画像の撮影を行う。即ち、保持撮影モードに規定された撮影条件に従って対象画像の撮影を行う。ステップＳ２１の撮影によって得られた対象画像は表示部１５に表示されると共に記録媒体１６に記録される（ステップＳ１７）。
【００５８】
図９等を参照して、ユーザによる実際の使用形態を説明する。今、撮影者としてのユーザが、山を人物と共に撮影する場合を考える。図９は、その山と人物が含まれる風景を表している。但し、山も人物も鮮明に撮影することをユーザが希望していることを想定する（即ち、ユーザが、ポートレートモードではなく、風景モードによる対象画像の撮影を希望していることを想定する）。この場合、撮影者としてのユーザは、まず、判定領域内に人物が含まれないように撮影構図（撮像装置１の撮影方向や画角）を調整する。図９の破線２４０で囲まれた範囲が撮影範囲となるように該調整が成されたとする。
【００５９】
図１０の画像２５０は、この調整後の撮影にて得られた入力画像に基づく表示画像である。表示画像２５０の元となる入力画像の撮影時点において判定領域内に人物が含まれておらず、結果、風景モードが選択撮影モードとして設定されて風景モードを表す指標が入力画像と共に表示される（ステップＳ１２及びＳ１３）。
【００６０】
この状態において、ユーザが保持操作を成すと風景モードが保持撮影モードとして設定される（ステップＳ１８）。その後、ユーザは、人物も撮影範囲内に収まるように撮影構図を必要に応じて変更する。図９の破線２４１で囲まれた範囲が撮影範囲となるように撮影構図が変更されたとする。図１０の画像２５１は、この変更後の撮影にて得られた入力画像に基づく表示画像である。表示画像２５１の元となる入力画像の撮影時点において判定領域内に人物が含まれているが、対象画像の撮影モードとなるべき保持撮影モードは風景モードのままである。図１０の画像２５１が表示されている状態において、シャッタ操作を成すことで、対象画像が風景モードにて撮影されることとなる。
【００６１】
判定領域が入力画像の全画像領域の一部であるときの使用形態を説明したが、判定領域が入力画像の全画像領域そのものであるときの使用形態も同様である。
【００６２】
ユーザの指示に従って判定領域の位置及び／又は大きさを変更できる旨を上述したが、その変更を利用した使用形態を、図１１を参照して説明する。まず、ユーザは、対象画像に収めようとしている被写体が全て撮影範囲内に収まるように撮影構図を調整する。図１１の画像２６０は、この調整後の撮影によって得られた入力画像に基づく表示画像である。表示画像２６０の元となる入力画像の撮影時点においては判定領域の位置及び大きさが初期状態のそれらとなっており、結果として判定領域内に人物が含まれることにより、ポートレートモードが選択撮影モードとして設定されている。
【００６３】
ユーザが風景モードによる対象画像の撮影を望む場合、ユーザは、判定領域の位置及び／又は大きさを指定する操作（以下、判定領域指定操作という）を成す。判定領域指定操作を、操作部１７に設けられて十字キー（不図示）等を用いて成すことも可能であるし、タッチパネル操作にて成すことも可能である。例えば、判定領域指定操作において、表示画像２６０が表示されている表示画面上の、人物が存在していない領域を指定する。この指定が成されると、以後に取得される各入力画像に対しては、指定内容に従った大きさを有する判定領域が指定内容に従った位置に設定される。
【００６４】
判定領域指定操作によって判定領域の位置及び大きさを自由に指定できるようにしておいても良いし、図１２に示す如く、判定領域の候補となるべき複数の候補領域を表示画像２６０上に重畳表示し、その複数の候補領域の中から判定領域を判定領域指定操作によってユーザに選択させても良い。上記複数の候補領域は、入力画像及び表示画像上において中心位置が互いに異なる。図１２に示す例では、９つの破線枠が９つの候補領域の外枠を表している。
【００６５】
図１１の画像２６１は、この判定領域指定操作後の撮影によって得られた入力画像に基づく表示画像である。表示画像２６１の元となる入力画像と表示画像２６０の元となる入力画像は同じものであるが、判定領域指定操作による判定領域の位置（及び／又は大きさ）の変更によって、判定領域内に人物が含まれなくなり、結果、表示画像２６１の元となる入力画像に対しては風景モードが選択撮影モードとして設定されている。この状態において、ユーザが保持操作を成すと風景モードが保持撮影モードとして設定される（ステップＳ１８）。その後、ユーザが必要に応じて撮影構図を変更してからシャッタ操作を成すことで、対象画像が風景モードにて撮影されることとなる。
【００６６】
尚、判定領域指定操作に従って判定領域の位置及び／又は大きさを指定することが可能に撮像装置１が形成されているのであれば、保持操作による保持撮影モードの設定機能を撮像装置１から割愛することも可能である。即ち、図１３に示す如く、選択撮影モードが風景モードになるように判定領域指定操作によって判定領域の位置及び／又は大きさをユーザが指定した後、保持操作を成すことなく、ユーザはそのままシャッタ操作を成すことが可能である。これにより、選択撮影モードとしての風景モードにて対象画像が撮影されることとなる（ステップＳ１６）。判定領域指定操作による判定領域の位置及び／又は大きさの変更処理を、ステップＳ１１からステップＳ１５に至る過程において実行することができる。
【００６７】
本実施形態に係る方法によれば、ユーザの意図しない撮影モードで対象画像の撮影が行われることが抑制され、ユーザ所望の撮影モードにて容易に対象画像を撮影することが可能となる。
【００６８】
尚、上述の説明では特に意識しなかったが、シャッタボタン７２は２段階の押下操作が可能となっており、ユーザがシャッタボタン７２を軽く押すとシャッタボタン７２の状態は半押し状態となり、その状態から更にシャッタボタン７２を押し込むとシャッタボタン７２の状態は全押し状態となる。半押し状態でも全押し状態でもないシャッタボタン７２の状態を開放状態と呼ぶ。シャッタボタン７２の状態を全押し状態にする操作がシャッタ操作である。シャッタボタン７２の状態を半押し状態にする操作を半押しと呼び、シャッタボタン７２の状態を全押し状態にする操作を全押しと呼ぶ。
【００６９】
上述の方法では、保持ボタン７１を用いて保持操作及び保持解除操作を実現しているが、操作部１７から保持ボタン７１を削除し、シャッタボタン７２を用いて保持操作及び保持解除操作を実現するようにしても良い。この際、半押しに、保持操作及び保持解除操作を担わせることが可能である。これの具体的な実現方法を、図１４を参照して説明する。尚、タイミングｔ(i+1)はタイミングｔiの後に訪れるタイミングであるとする（ｉは整数）。
【００７０】
まず、タイミングｔ1において半押しが成されてシャッタボタン７２の状態が開放状態から半押し状態に遷移すると、ＡＦロックがオンとされる。続くタイミングｔ2において半押しが解除されてシャッタボタン７２の状態が開放状態に戻ると、ＡＦロックはオフとされると共に、シャッタボタン７２の状態を半押し状態から開放状態へと戻す操作が保持操作として取り扱われ、タイミングｔ2直前又は直後に取得された入力画像に対する選択撮影モードが保持撮影モードとして設定される。
【００７１】
その後、タイミングｔ3において再び半押しが成されてシャッタボタン７２の状態が開放状態から半押し状態に遷移すると、ＡＦロックが再びオンとされる。続くタイミングｔ4において再び半押しが解除されてシャッタボタン７２の状態が開放状態に戻ると、ＡＦロックはオフとされると共に、シャッタボタン７２の状態を半押し状態から開放状態へと戻す再度の操作が保持解除操作として取り扱われ、結果、タイミングｔ2にて設定された保持撮影モードが破棄される（図７の動作ではステップＳ１１に戻る）。図１４に示す状況とは異なるが、仮にタイミングｔ4において全押しが成されたならば、タイミングｔ2の保持操作にて設定された保持撮影モードにて対象画像の撮影が成される。
【００７２】
撮像装置１には、フォーカスレンズ３１の位置調整によって撮影範囲内の主要被写体にピントを自動的に合わせるオートフォーカス制御機能が備えられている。ＡＦロックのオンとは、フォーカスレンズ３１の位置調整によって撮影範囲内の主要被写体にピントを合わせた後、フォーカスレンズ３１の位置を固定する処理を指す。逆に、ＡＦロックのオフとは、この位置の固定を解除する処理を指す。
【００７３】
図１４に示す動作例では、シャッタボタン７２の状態を半押し状態から開放状態へと戻す操作の内、奇数回目の操作が保持操作として取り扱われ、偶数回目の操作が保持解除操作として取り扱われる。このため、ユーザは、所望の撮影モードを選択させるための撮影構図（図１０の画像２５０の構図に対応）にて半押し及び半押し解除を１回行って保持撮影モードを設定させた後、撮影構図を所望の構図へと調整し、再度半押しを成すことで、所望の構図にてＡＦロックをオンとすることができる。その後、シャッタ操作を成すことで、所望の構図（図１０の画像２５１の構図に対応）を有する対象画像を所望の撮影モードにて撮影することができる。
【００７４】
図１４の動作例に代えて図１５の動作例により、保持操作及び保持解除操作を実現するようにしても良い。図１５の動作例では、ＡＦロックのオンと保持操作を連動させ且つＡＦロックのオフと保持解除操作を連動させている。即ち、シャッタボタン７２の状態を開放状態から半押し状態へ遷移させる操作が常に保持操作として取り扱われ、シャッタボタン７２の状態を半押し状態から開放状態へ戻す操作が常に保持解除操作として取り扱われる。シャッタボタン７２の状態が開放状態から半押し状態へと遷移した際にＡＦロックがオンされること、及び、シャッタボタン７２の状態が半押し状態から開放状態へ戻された際にＡＦロックがオフされることは、図１４の動作例と同じである。
【００７５】
＜＜第２実施形態＞＞
本発明の第２実施形態を説明する。第２実施形態に係る撮像装置の基本的な構成は、第１実施形態のそれと同じであるため、第２実施形態に係る撮像装置も撮像装置１と呼ぶ。第２実施形態は第１実施形態を基礎とする実施形態であり、第２実施形態にて特に述べられない事項に関しては、矛盾なき限り、第１実施形態の記載が第２実施形態にも適用される。
【００７６】
第２実施形態において、図３のシーン判定部６１は、入力画像内に互いに中心位置の異なる複数の判定領域を設定し、判定領域ごとに判定領域内の画像データに基づいてシーン判定を行う。図１６において、符号３００は任意の１枚の入力画像を表している。説明の具体化のため、図１６に示す如く、入力画像３００を水平及び垂直方向の夫々に２等分することで入力画像３００の全画像領域を４つの画像領域に分割し、各分割領域内に１つずつ判定領域を設けることで入力画像３００に４つの判定領域ＤＲ［１］〜ＤＲ［４］を設定することを想定する。入力画像３００上において、判定領域ＤＲ［１］〜ＤＲ［４］の中心位置は互いに異なる。通常、判定領域ＤＲ［１］〜ＤＲ［４］の大きさは、互いに同じとされる。図１６において、入力画像３００上における各判定領域の形状は矩形となっているが、各判定領域の形状は矩形でなくとも良い。勿論、入力画像３００に設定される判定領域の個数としての４は例示であり、その個数を４以外にすることも可能である。
【００７７】
第２実施形態において、図３のモード設定部５１は、入力画像３００に対する判定領域ごとのシーン判定の結果に基づき、判定領域ごとに、撮影モードテーブル６２に記憶された第１〜第Ｎの撮影モードの中から入力画像３００の撮影モードとして最適と考えられる１つの撮影モードを選択する。判定領域ＤＲ［ｉ］に対して選択された撮影モードを領域撮影モードＭ［ｉ］と呼ぶ（ｉは整数）。領域撮影モードＭ［１］〜Ｍ［４］を表す撮影モード情報は、撮影制御部５２に伝達される。判定領域ＤＲ［ｉ］の画像データに基づくシーン判定の方法及び選択撮影モードの設定方法は、第１実施形態で述べた判定領域２０１（図４参照）の画像データに基づくそれらと同様である。
【００７８】
対象画像の撮影手順を、図１７を参照して詳細に説明する。図１７は、１枚の対象画像を得るための、撮像装置１の動作手順を表すフローチャートである。
【００７９】
まず、ステップＳ３１において入力画像が取得される。続くステップＳ３２において、ステップＳ３１にて取得された入力画像の各判定領域内の画像データに基づき、判定領域ごとにシーン判定が実行されると共に、各判定結果を利用して領域撮影モードＭ［１］〜Ｍ［４］が設定される。ステップＳ３１にて取得された入力画像は、ステップＳ３３において表示部１５に表示される。この際、ステップＳ３２にて設定された領域撮影モードＭ［１］〜Ｍ［４］を表す指標（文字やアイコン等）も併せて表示される。
【００８０】
図１８の画像３２０は、ステップＳ３３における表示画像の例である。表示画像３２０（及び後述の表示画像３３０）の元となる入力画像の判定領域ＤＲ［３］に人物が存在しており且つ該入力画像の判定領域ＤＲ［２］及びＤＲ［４］に山が存在しており且つ該入力画像の判定領域ＤＲ［１］に空が存在しており、その結果として、領域撮影モードＭ［１］、Ｍ［２］、Ｍ［３］及びＭ［４］が、夫々、風景モード、風景モード、ポートレートモード及び風景モードとなったことを想定している。従って、表示画像３２０上における判定領域ＤＲ［１］、ＤＲ［２］及びＤＲ［４］の夫々には風景モードを表す指標（文字やアイコン等）が表示され且つ判定領域ＤＲ［３］にはポートレートモードを表す指標が表示されている。
【００８１】
各判定領域に存在する被写体の種類等を示す指標（文字やアイコン等）を表示するようにしても良い。即ち、図１８の画像３２０の代わりに、図１９の表示画像３３０のような表示画像をステップＳ３３にて表示するようにしても良い。表示画像３３０上における判定領域ＤＲ［１］、ＤＲ［２］、ＤＲ［３］及びＤＲ［４］には、夫々、「空」、「山」、「人」、「山」という文字が表示されている。
【００８２】
ステップＳ３３の後、ステップＳ３４に移行し、撮影制御部５２は、領域選択操作が成されているか否かを確認する。ユーザは、領域選択操作によって判定領域ＤＲ［１］〜ＤＲ［４］の内、何れか１つの判定領域を選択判定領域として選択する。領域選択操作をタッチパネル操作にて実現する場合、表示画面上の判定領域ＤＲ［ｉ］に指等が触れたときに、判定領域ＤＲ［ｉ］が選択判定領域として選択される。
【００８３】
ステップＳ３４において、領域選択操作が成されていない場合にはステップＳ３１に戻って上述のステップＳ３１以降の処理を再度実行する。ステップＳ３４において、領域選択操作が成されている場合にはステップＳ３４からステップＳ３５に移行し、撮影制御部５２は、選択判定領域に対応する領域撮影モードを指定撮影モードとして設定する。例えば、領域選択操作によって判定領域ＤＲ［２］が選択されたならば領域撮影モードＭ［２］（図１８の例において風景モード）が指定撮影モードとして設定され、判定領域ＤＲ［３］が選択されたならば領域撮影モードＭ［３］（図１８の例においてポートレートモード）が指定撮影モードとして設定される。
【００８４】
指定撮影モードの設定後、ステップＳ３６において、撮影制御部５２は所定の指定解除操作が操作部１７に対して成された否かを確認する。タッチパネル操作を利用して指定解除操作を成すこともできる。ステップＳ３６において指定解除操作が成されている場合には、ステップＳ３５にて設定された指定撮影モードを破棄すると共にステップＳ３６からステップＳ３１に戻って上述のステップＳ３１以降の処理を再度実行するが、指定解除操作が成されていない場合にはステップＳ３７に移行して、更にシャッタ操作の有無が確認される。ステップＳ３７において、シャッタ操作が成されていない場合には、ステップＳ３６に戻ってステップＳ３６及びＳ３７の処理が繰り返し実行される。ステップ３６及びＳ３７の処理の繰り返し実行の過程においても、入力画像の撮影は次々と成されて最新の入力画像が表示部１５に更新表示される。
【００８５】
ステップＳ３７においてシャッタ操作が成されている場合にはステップＳ３７からステップＳ３８に移行して、指定撮影モードにて対象画像の撮影を行う。即ち、指定撮影モードに規定された撮影条件に従って対象画像の撮影を行う。ステップＳ３８の撮影によって得られた対象画像は表示部１５に表示されると共に記録媒体１６に記録される（ステップＳ３９）。
【００８６】
上述の説明から理解されるように、第２実施形態では、所望の撮影モードに対応する判定領域を領域選択操作によって選択することで選択判定領域に対応する領域撮影モードが指定撮影モードとして保持されるため、操作部１７から保持ボタン７１を割愛すること可能である（但し、保持ボタン７１を操作部１７に設けておいても良い）。
【００８７】
第２実施形態によっても、第１実施形態と同様の効果が得られる。
【００８８】
尚、上述の例では、判定領域の個数、形状及び位置が予め定まっているが、それらを入力画像の画像データに基づいて動的に設定するようにしても良い。この方法を、図２０（ａ）に示す入力画像３５０の画像データがモード設定部５１に供給された場合を例にとって説明する。
【００８９】
入力画像３５０内には、人物と山の画像データが含まれている。シーン判定部６１は、入力画像３５０の画像データに基づき、入力画像３５０から、人物の画像データが存在している画像領域３５１及び山の画像データが存在している画像領域３５２を検出し、画像領域３５１及び３５２を夫々判定領域ＤＲ［１］及びＤＲ［２］として設定する。入力画像３５０において、判定領域ＤＲ［１］及びＤＲ［２］の中心位置は互いに異なっている。入力画像３５０の例においては、判定領域の個数が２であり、入力画像３５０上における判定領域ＤＲ［１］及びＤＲ［２］の大きさは互いに異なっている（但し、それらの大きさが同じになることもある）。
【００９０】
入力画像３５０に各判定領域が設定された後の動作は上述したものと同様である。従って、図１７のステップＳ３１における入力画像が入力画像３５０である場合、入力画像３５０の判定領域ＤＲ［１］に人物が存在しており且つ入力画像３５０の判定領域ＤＲ［２］に山が存在しているため、領域撮影モードＭ［１］及びＭ［２］が、夫々、ポートレートモード及び風景モードとなり、図２０（ｂ）に示す表示画像３６０がステップＳ３３において表示されることとなる。表示画像３６０上において、判定領域ＤＲ［１］にはポートレートモードを表す指標（文字やアイコン等）が表示され、判定領域ＤＲ［２］には風景モードを表す指標が表示されている。表示画像３６０は、判定領域ＤＲ［１］及びＤＲ［２］の外枠とポートレートモード及び風景モードを表す指標を入力画像３５０に重畳した画像である。
【００９１】
或いは、図２０（ｃ）に示す表示画像３７０をステップＳ３３において表示するようにしても良い。表示画像３７０上における判定領域ＤＲ［１］、ＤＲ［２］には、夫々、「人」、「山」という文字が表示されている。表示画像３７０は、判定領域ＤＲ［１］及びＤＲ［２］の外枠と「人」、「山」という文字を入力画像３５０に重畳した画像である。
【００９２】
＜＜変形等＞＞
上述の説明文中に示した具体的な数値は、単なる例示であって、当然の如く、それらを様々な数値に変更することができる。上述の実施形態の変形例または注釈事項として、以下に、注釈１及び注釈２を記す。各注釈に記載した内容は、矛盾なき限り、任意に組み合わせることが可能である。
【００９３】
［注釈１］
第１実施形態において、入力画像上の判定領域の位置及び／又は大きさはユーザによる判定領域指定操作に基づいて変更されうると述べた。但し、モード設定部５１が判定領域指定操作に依らず何らかの指標に基づいて判定領域の位置及び／又は大きさを変更できるように、モード設定部５１を形成しておいても良い。
【００９４】
［注釈２］
図１の撮像装置１を、ハードウェア、或いは、ハードウェアとソフトウェアの組み合わせによって構成することができる。ソフトウェアを用いて撮像装置１を構成する場合、ソフトウェアにて実現される部位についてのブロック図は、その部位の機能ブロック図を表すことになる。ソフトウェアを用いて実現される機能をプログラムとして記述し、該プログラムをプログラム実行装置（例えばコンピュータ）上で実行することによって、その機能を実現するようにしてもよい
【符号の説明】
【００９５】
１  撮像装置
１１  撮像部
１５  表示部
１６  記録媒体
１７  操作部
３２  絞り
３３  撮像素子
３５  光学系
５１  モード設定部
５２  撮影制御部
６１  シーン判定部
６２  撮影モードテーブル
７１  保持ボタン
７２  シャッタボタン
８１  画像処理部
【図１】
2011133703.tif 000003
【図２】
2011133703.tif 000004
【図３】
2011133703.tif 000005
【図４】
2011133703.tif 000006
【図５】
2011133703.tif 000007
【図６】
2011133703.tif 000008
【図７】
2011133703.tif 000009
【図８】
2011133703.tif 000010
【図９】
2011133703.tif 000011
【図１０】
2011133703.tif 000012
【図１１】
2011133703.tif 000013
【図１２】
2011133703.tif 000014
【図１３】
2011133703.tif 000015
【図１４】
2011133703.tif 000016
【図１５】
2011133703.tif 000017
【図１６】
2011133703.tif 000018
【図１７】
2011133703.tif 000019
【図１８】
2011133703.tif 000020
【図１９】
2011133703.tif 000021
【図２０】
2011133703.tif 000022
【図２１】
2011133703.tif 000023